(57)【要約】      （修正有）【課題】たった１台のクーラー（当然たった１台の室外機）で、家全体をカバーする。【解決手段】Ａはメインフレーム（メインクーラー）、Ｂは分配器、すなわち仕切り板、Ｃは連結部、Ｄは中継ホース、Ｆはフリー・スペースつまり、クーラーの冷たい風がまだ仕切られていない部分、Ｇはフィルター、Ｊはシャットのボタン・レバーである。メインフレームＡの冷たい風はＢの仕切り板で各コースのルートの中継ホースＤに送られ、各部屋、各部分に至る。【選択図】図２
2007057216.tif 000002
【特許請求の範囲】
【請求項１】
ＣＣＳ（Ｃｅｎｔｒａｌ  Ｃｏｏｌｉｎｇ  Ｓｙｓｔｅｍ）並びにＴｕｒｂｏＢｏｏｓｔの概念全体並びにその発想法。
【請求項２】
そしてそのデバイス（分配器［仕切り板］）、断熱材をつかったダクト等。また、冷涼室の概念等。
【請求項３】
これらを組み入れるために必要な住宅構造の変革。
ＣＣＳの発想法の基本は、あくまでも、１台のク−ラ−、１台の室外機にあり、その意図するところは、各家庭の支出削減であり、省エネにある。
概念全体並びにその発想法とは、具体的には、ＣＣＳを実現するための住宅工法の変革（住宅構造の変化）を指すものとする。例えば、従来は、天井裏や壁と壁の間には、簡単な電気配線や電話、テレビケ−ブルなどしかなかった。ＣＣＳ方式では、従来の建築工法よりも、これらのスペ−スに、ダクト、管などが、たくさん入る事が予想される。
【発明の詳細な説明】
【技術分野】
【０００１】住宅技術と電気機械技術の混合で、初期段階で住宅技術の中に組み込む事が必要である。つまり、住宅設計段階から、両技術の協力が必要となる。
【背景技術】
【０００２】日本は、現在世界一の電気開発技術と住宅開発技術を誇り、かつ松下電器、三洋電器といった自社内に住宅建築会社（ＰａｎａＨｏｍｅ，三洋ホ−ムズ）を有する会社が存在し、トヨタのように住宅建築会社と精密機械会社（アイシン精機）を有する会社が存在する。
【発明の開示】
【発明が解決しょうとする課題】
【０００３】未来志向の各家庭で、将来の温暖化或いは亜熱帯化に備え、安心して電化生活がエンジョイでき、かつ省エネにもつながるという課題。
【課題を解決するための手段】
【０００４】たった１台のク−ラ−（当然たった１台の室外機）で、家全体をカバ−する。そのための様々なデバイスを試みる。
【発明の効果】
【０００５】以後の住宅建築において建築革命となり、この様式が主流になるものと思われる。住宅販売店員は、客に『もちろんＣＣＳは付いています。』と胸をはり、住宅購入に来た客は『もちろんＣＣＳは付いていますね？』と聞くであろうと思われる。各家庭において、ク−ラ−代は、これまでの３分の１以下となり、ク−ラ−を一時停止して我慢する必要がなく、気がねなくク−ラ−が使用できる。
【発明を実施するための最良の形態】
【０００６】電器会社と建築会社の密な協力
【実施例】
【０００７】松下電器とＰａｎａＨｏｍｅ、三洋電器と三洋ホ−ムズ、トヨタホ−ムとアイシン精機等
【産業上の利用可能性】
【０００８】無限の可能性を有する。例えば、将来のマンション経営に応用すれば、大変有利なものとなる。室外機１台、ク−ラ−１台で済むので、大変安価となる。また、世界的温暖化の中で、欧米、アジア、オ−ストラリア、南米といった地域へのＣＣＳ技術の輸出にもつながるものと期待される。国家経済に兆単位の経済効果をもたらす事が期待される。
【図面の簡単な説明】
【０００９】
【図１】は、簡単なフロ−・チャ−トを表します。Ａはメイン・フレ−ム（コンピュ−タ−ではなく、メイン・ク−ラ−の意味です。以後メイン・フレ−ムと表現します。）Ｂは、ＴｕｒｂｏＢｏｏｓｔつまりファンを表します。ファンには扇風機型とスリム・タワ−型の両方を、その場所の適した形に応じて用います。Ｃは吹き出し口、ＢとＣを併せて、吹き出し部分となります。
【図２】これ以降、アルファベット大文字は、意味を固定します。例えば、Ａはメイン・フレ−ムといった具合です。Ｂは分配器、すなわち仕切り板（区切り板）を表します。〔図２〕は横（側面）から見たところですが、〔図２〕でＨ−Ｉで断面された部分を、上から見たところが、〔図３〕となりますが、〔図２〕において、Ｃは連結部、Ｄは中継ホ−ス、Ｆはフリ−・スペイスつまり、ク−ラ−の冷たい風が、まだ仕切られていない部分です。Ｇはフィルタ−を、Ｊはシャットのボタン・レバ−を表します。メイン・フレ−ムは吹き出し口が、上部へ吹き出し、Ｂの仕切り板で各コ−スのル−トの中継ホ−スに送られ、各部屋、各部分に至ります。〔図５〕で説明しますが仕切り板上部は円形になっています。このメイン・フレイムは、収納庫等の、来客から見えない場所に、横向きに設置します。〔図３〕のように、反対側のシャットに廻りこんで、操作するためです。メイン・フレイムは隠します。このク−ラ−の消費電力は、２．５〜５．０Ｋｗとし、これ１台で、家全体をカバ−する。
【図３】はＨ−Ｉ断面の上部から下方向を見た図。仕切りの数は偶数個、６，８，１０，１２，１４・・・・とします。客の要望に沿って数を調整します。ここでは、サンプルとして１０個にしてあります。
【図４】は、分配器（仕切り板または区切り板）を横（側面）から見たところで、Ｋの部分は、円形になります。Ｅはシャットを表し、これは、使いたくない部屋への送風を遮断する時に使います。例えば、ク−ラ−の風が、体に良くないとされた病人等
【図５】は、仕切り板の一部を横から模式的に示したものである。破線の部分で、上部と金属結合させる。Ｋの部分は円形。
【図６】はシャットの開いた時と閉じた時を示す。カメラ・シャッタ−状のシャッタ−は、６ａ図が、開いているところで、レバ−が左端にある。６ｂ図が閉じたところで、ク−ラ−が必要ない時は、レバ−を右端にしておく。Ｅはシャット。
【図７】は、分配器（仕切り板）上部と中継ホ−スを結ぶ連結部の結合の仕方の１例ここでは、ワッカ型を表し、１０ｃｍぐらいのワッカを図のようなボルトで結ぶ。Ｌはボルト、Ｄは中継ホ−スを表す。７ａ図は上から、７ｂ図は横から見たもの。
【図８】は、結合例の他の形式を表す。この方法では、従来のネジ式が用いられ、連結部Ｃで、らせんスクリュ−型のネジによって、ＤとＢはとめられる。他にも〔図１０〕で示されるような、昔の潜水服の、頭部分と胴部をつなぐようなボルト式が考えられる。８ａ図は横から見たもの、８ｂ図は、ネジを閉める前を表す。
【図９】は、ダクト素材を示す。これは大変重要で、涼しい風を送っている最中に暖められて、吹き出した時は、熱かったというのでは、なんにもならない。そこでダクトの素材として、９ｂ図のように、現在外壁として使われている断熱材を直方体の形に組み合わせたものや（図では０は素材を寝かして、頭から見たところ）、９ａ図のように、Ｍのブリキの部分に、Ｎのような合板を接着させた物を素材に使う。
【図１０】は、天井裏スペ−スのダクトを模式的に示したものであるが、ＲはダクトＰは天井、Ｑは壁をそれぞれ示している。
【図１１】は、これを鉄管もしくはビニル（塩化ビニル）管を使った場合を示した図である。Ｓは鉄管もしくは、ビニル管を表す。但し鉄管を用いる時は、鉄管をフェルトまたは床マット素材で覆うものとする。
【図１２】は、部屋横断面より見たものである。Ｐは天井、Ｑは壁、Ｒはダクト、Ｓは鉄管もしくはビニル管をそれぞれ表す。
【図１３】は、表現部分つまり今までの旧来型の住宅と違って、ク−ラ−の形を全然人に見せない。『アメニティ−』である。『高原のさわやかさ』を人工を意識させなずに表現する。１３ａ図は、天井にも壁にも応用がきくデザインである。１３ｂは横方向から見た断面図である。Ｇはフィルタ−、Ｔは化粧ボ−ド、Ｕはへこみ部分、Ｖはファン（ここは扇風機型）、小さい丸は蛍光灯を表す。Ｘは吹き出し部。
【図１４】は、吹き出し部の別の表現、つまり、ここは柱に仕掛けられたデバイスを表す。１４ａ図は正面から見たところ、１４ｂ図は、これを上からみたところを示す。Ｔは化粧ボ−ド、Ｕはへこみ部分、Ｘは吹き出し口、そしてＷはスリム・タワ−型のファンを表す。
【図１５】は、他の表現を示す。１５ａはスライド式のひき戸、ひき戸をスライドさせると涼しい風が吹き出すという仕組み。１５ｂは上部横柱に細工された吹き出し口より、冷風が吹き出すという仕組み。後者はスリム・タワ−型を横置きにする。
【図１６】は、飛行機の吹き出し口型で、横は、廊下、玄関等に取りつけた様子。
【図１７】は、ファンの形を示す。ファンに関して、注意しなくてはならないのは、回転させなくても、冷風が届くように配慮する事である。つまり１７ｂ図のように羽根の幅を細くしたり、羽根径を小さくして、周辺径との差を大きくする。そして、これらのＴｕｒｂｏＢｏｏｓｔ（ファン）は、ユ−ザ−が掃除しやすく、故障しても修理しやすい位置に配置すべきである。
【図１】
2007057216.tif 000003
【図２】
2007057216.tif 000004
【図３】
2007057216.tif 000005
【図４】
2007057216.tif 000006
【図５】
2007057216.tif 000007
【図６】
2007057216.tif 000008
【図７】
2007057216.tif 000009
【図８】
2007057216.tif 000010
【図９】
2007057216.tif 000011
【図１０】
2007057216.tif 000012
【図１１】
2007057216.tif 000013
【図１２】
2007057216.tif 000014
【図１３】
2007057216.tif 000015
【図１４】
2007057216.tif 000016
【図１５】
2007057216.tif 000017
【図１６】
2007057216.tif 000018
【図１７】
2007057216.tif 000019